(57)【特許請求の範囲】
【請求項１】
左右一対の溝形部材と当該両溝形部材の内側底面に両端が固着されたステップ部材とから成る梯子を構造体に着脱自在に取り付ける仮設梯子の取付け用具であって、パイプクランプと押え部材とから成り、パイプクランプは、前記梯子の両溝形部材を受け止める構造体側の水平向きの鋼管に対して着脱自在に取り付けられるもので、前記鋼管を挟むベース部材と開閉部材、及び当該ベース部材と開閉部材とを互いに締結する締結ボルトから成り、前記押え部材は、前記パイプクランプのベース部材に取り付けられて、当該パイプクランプが取り付けられる前記鋼管の長さ方向に突出するもので、その先端には、前記梯子の溝形部材の内側に入り込んで、当該溝形部材の前記鋼管に隣接する側の側壁板部を前記鋼管との間で挟む挟持部が形成されている、仮設梯子の取付け用具。
【請求項２】
前記押え部材は、前記パイプクランプのベース部材に固定されて当該ベース部材から両側へ左右対称形に突設されている、請求項１に記載の仮設梯子の取付け用具。
【請求項３】
前記押え部材は、前記パイプクランプのベース部材から片側へのみ突出する長さを有するもので、この押え部材が前記ベース部材に対して１８０度向き変更可能に回転自在に取り付けられている、請求項１に記載の仮設梯子の取付け用具。
【請求項４】
前記押え部材は、前記パイプクランプのベース部材に固定されて当該ベース部材から前記鋼管の長さ方向に突出する帯状板に、前記鋼管のある側に湾曲する先端湾曲領域と、この先端湾曲領域の先端まで、帯状板の両側辺から外側に折曲連設された左右両側板部と、前記先端湾曲領域の先端から外向きに折曲突設された突出片から構成され、前記突出片により前記挟持部が形成されている、請求項１〜３の何れか１項に記載の仮設梯子の取付け用具。
【発明の詳細な説明】
【技術分野】
【０００１】
本発明は、工事現場の仮設足場などの各種構造体に作業者昇り降り用の仮設梯子を取り付ける取付け用具に関するものである。
【背景技術】
【０００２】
工事現場の仮設足場などの各種構造体に作業者昇り降り用の仮設梯子を設置する場合、梯子の上端又はその近傍位置を前記構造体に受け止めさせて当該梯子を斜めに立て掛けるだけでは、簡単に梯子の下端が床面／地面上を滑って当該梯子が倒伏してしまう恐れがあるので、当該梯子を利用する作業者の安全を確保するために、従来は梯子を前記構造体側の適当な部材、例えば当該梯子を受け止める水平向きの鋼管（足場鋼管など）に番線で締結する手段がとられている。
【発明の概要】
【発明が解決しようとする課題】
【０００３】
上記のような従来の梯子の取付け手段では、その取付けに、番線で確実に梯子を対象物に締結する技術を備えた作業者が必要であるばかりでなく、この種の梯子は一般的に軽量化と発錆防止の観点からアルミニウム製のものが使用されているので、番線による締結効果を確実にするために番線締結作用を強力に行えば行うほど、梯子側の締結箇所、即ち、梯子側辺のアルミニウム製の溝形部材の出隅部が局部的に凹むように変形してしまう恐れがあった。梯子の締結箇所となるのは、ステップ部材の両端を支持する左右一対のアルミニウム製の溝形部材であるから、この溝形部材の出隅部が番線によって局部的に凹むように変形することは、その程度が僅かであっても前記溝形部材の曲げ強度が極端に低下してしまうので、梯子そのものが廃棄の対象になり、経済的損失も甚大である。
【課題を解決するための手段】
【０００４】
本発明は、上記のような従来の問題点を解消することのできる仮設梯子の取付け用具を提案するものであって、請求項１に記載の本発明に係る仮設梯子の取付け用具は、後述する実施例との関係を理解し易くするために、当該実施例の説明において使用した参照符号を括弧付きで付して示すと、左右一対の溝形部材(6a,6b)と当該両溝形部材(6a,6b)の内側底面に両端が固着されたステップ部材(7)とから成る梯子(2)を構造体(1)に着脱自在に取り付ける仮設梯子の取付け用具(8)であって、パイプクランプ(9)と押え部材(10)とから成り、パイプクランプ(9)は、前記梯子(2)の両溝形部材(6a,6b)を受け止める構造体(1)側の水平向きの鋼管(3a〜3c)に対して着脱自在に取り付けられるもので、前記鋼管(3a〜3c)を挟むベース部材(11)と開閉部材(12)、及び当該ベース部材(11)と開閉部材(12)とを互いに締結する締結ボルト(13)から成り、前記押え部材(10)は、前記パイプクランプ(9)のベース部材(11)に取り付けられて、当該パイプクランプ(9)が取り付けられる前記鋼管(3a〜3c)の長さ方向に突出するもので、その先端には、前記梯子(2)の溝形部材(6a,6b)の内側に入り込んで、当該溝形部材(6a,6b)の前記鋼管(3a〜3c)に隣接する側の側壁板部(6c)を前記鋼管(3a〜3c)との間で挟む挟持部(16a,16b)が形成された構成になっている。
【０００５】
上記本発明の仮設梯子の取付け用具は、この梯子を立て掛ける仮設足場などの構造体側に前記梯子の長さ方向(高さ方向）の上端近傍位置や中間適当位置を受け止めることが出来る水平向きの鋼管が存在していることが前提になるが、仮にこのように梯子を受け止める高さに水平向きの鋼管が存在しないときは、当該構造体側に前記水平向きの鋼管を前以て架設しておけば良い。而して、安全な角度に傾斜させた状態の仮設梯子の長さ方向(高さ方向）の上端近傍位置や中間適当位置を前記水平向きの鋼管に当接させて当該梯子を立て掛けたならば、この梯子の左右一対の溝形部材の内、少なくとも一方の溝形部材の内側に隣接する位置に、押え部材の先端挟持部が隣接する前記溝形部材の内側に入り込むように、パイプクランプのベース部材と開閉部材とで前記水平向きの鋼管を挟み付け、締結ボルトによりベース部材と開閉部材とを互いに締結させて当該パイプクランプを前記鋼管に固定する。この結果、前記押え部材の先端挟持部の位置が前記鋼管に対して固定され、梯子の前記溝形部材の前記鋼管に隣接する側の側壁板部が前記先端挟持部と前記鋼管との間で挟持されることになる。このとき、前記押え部材の先端挟持部と前記鋼管との間で梯子側の前記側壁板部が所定の圧力で挟持されるように、押え部材の先端挟持部を構成しておくのが望ましい。
【発明の効果】
【０００６】
上記のように構成され且つ使用出来る本発明の仮設梯子の取付け用具によれば、パイプクランプを鋼管の所定位置に締結するだけの極めて簡単な操作、即ち、２物品を番線で締結するという特別な操作と比較して誰でもが簡単容易に行える操作により、仮設足場などの構造体側の水平向きの鋼管に梯子の側辺に位置する溝形部材を確実に固定することが出来る。しかも、梯子の取付け状態では、梯子側の前記溝形部材における側壁板部を前記構造体側の鋼管と取付け用具側の押え部材の先端挟持部との間で挟み付けるだけであることと、この挟み付ける力はパイプクランプを鋼管に締結し終わったときに確定し、パイプクランプを鋼管に締結するときの締結力（締結ボルトの締結力）を増大させたとしても変化しないこととによって、従来の番線で強力に締結したときのように、梯子側辺の溝形部材の出隅部が局部的に凹むように変形する恐れが全くない。従って、梯子の取付け取り外しを繰り返し行っても、梯子そのものを廃棄処分にしなければならないような、局部的な変形による強度低下は生じないので、梯子を長期間、安全に活用することが出来、その経済的効果は甚大である。
【０００７】
本発明の取付け用具は、梯子の左右一対の溝形部材を、各溝形部材の内側にパイプクランプを配置して構造体側の鋼管に取り付けるように使用するのが望ましい。このような取付方法によれば、パイプクランプを鋼管に締結したときに仮に、梯子側の前記溝形部材における側壁板部が前記構造体側の鋼管と取付け用具側の押え部材の先端挟持部との間で圧接されないで、多少遊びがあるような状況であっても、左右一対の溝形部材の内側に鋼管に締結されたパイプクランプが位置しているので、梯子が左右何れかの方向に移動して取付け用具の押え部材から外れてしまうような恐れはない。
【０００８】
上記のように本発明の取付け用具を使用するとき、梯子側の左右一対の溝形部材の内側に取付け用具の押え部材の先端挟持部を入り込ませることになるので、パイプクランプの締結ボルトの向きを一定にしようとすると、右側の溝形部材を取り付けるための取付け用具と左側の溝形部材を取り付けるための取付け用具とを準備しなければならない。しかしながら請求項２に記載のように、前記押え部材(10)を、前記パイプクランプ(9)のベース部材(11)に固定されて当該ベース部材(11)から両側へ左右対称形に突設された構造とすることにより、１種類の取付け用具を以て左右何れ側の溝形部材の取付けにも使用することが出来、経済的である。
【０００９】
勿論、請求項３に記載のように、前記押え部材(10)を、前記パイプクランプ(9)のベース部材(11)から片側へのみ突出する長さを有するものとし、この押え部材(10)を前記ベース部材(11)に対して１８０度向き変更可能に回転自在に取り付けた構成とすることにより、取付け用具の押え部材の長さを短くして部品コストを下げながら、１種類の取付け用具を以て左右何れ側の溝形部材の取付けにも使用することが出来る。
【００１０】
又、請求項４に記載のように、前記押え部材(10)を、前記パイプクランプ(9)のベース部材(11)に固定されて当該ベース部材(11)から前記鋼管(3a〜3c)の長さ方向に突出する帯状板に、前記鋼管(3a〜3c)のある側に湾曲する先端湾曲領域(10d,10e)と、この先端湾曲領域(10d,10e)の先端まで、帯状板の両側辺から外側に折曲連設された左右両側板部(10b,10c)と、前記先端湾曲領域(10d,10e)の先端から外向きに折曲突設された突出片(10f,10g)から構成し、前記突出片(10f,10g)により前記挟持部(16a,16b)を形成させることが出来る。この構成によれば、押え部材を比較的板厚の薄い帯状板で形成しながら、先端湾曲領域の先端までの必要な曲げ強度は前記左右両側板部によって確保し、しかも先端の挟持部は、前記先端湾曲領域の先端そのものではなく、外側へ容易に弾性変形可能な突出片で構成されているので、梯子の溝形部材における側壁板部の内側面に傷を付けることなく確実に鋼管との間で当該側壁板部を挟持させることが出来る。
【図面の簡単な説明】
【００１１】
【図１】図１Ａは、本発明の取付け用具の使用状態を示す概略側面図、図１Ｂは、同概略正面図である。
【図２】図２は、本発明の一実施例に係る取付け用具の一部縦断正面図である。
【図３】図３は、同上取付け用具の側面図である。
【図４】図４は、同上取付け用具の平面図である。
【図５】図５は、同上取付け用具の使用状態での一部縦断側面図である。
【図６】図６は、図５のＡ矢視図である。
【図７】図７は、図５のＢ矢視図である。
【図８】図８は、本発明の第二実施例を示す正面図である。
【図９】図９は、本発明の第三実施例を示す一部縦断正面図である。
【発明を実施するための形態】
【００１２】
図１に基づいて本発明の取付け用具の使用方法の一例を説明すると、１は仮設足場などの構造体であって、この構造体１の横側部に作業者の昇り降り用の梯子２が仮設される。この梯子２を所定の対地角度で立て掛ける場所には、当該梯子２の上端付近、中間付近、及び下端付近の高さで当該梯子２を受け止めることが出来る位置にそれぞれ水平向きに鋼管３ａ〜３ｃが架設されている。これら各鋼管３ａ〜３ｃには、仮設足場などの組立てに使用される規格サイズの丸鋼管が使用される。そしてこれら各鋼管３ａ〜３ｃは、従来周知のように構造体１に取り付けられて水平に張り出す少なくとも２本の支持用鋼管４にパイプクランプ５によって水平に締結支持されるが、これら鋼管３ａ〜３ｃの内の一部は、構造体１が備えている水平向きの鋼管をそのまま利用することも出来る。勿論、梯子２の高さが低ければ、中間付近の鋼管３ｂを省くことも出来るし、逆に梯子が高ければ、中間付近の鋼管３ｂの数を増やして、梯子高さ方向適当間隔おきの複数の位置に鋼管３ｂを架設することも出来る。
【００１３】
梯子２は、この梯子２の全長に及ぶ長さの左右一対のアルミニウム製の溝形部材６ａ，６ｂと、当該両溝形部材６ａ，６ｂの凹溝部の内側底面に両端が固着されたアルミニウム製のステップ部材７とから構成された従来周知のものである。この梯子２の左右一対の溝形部材６ａ，６ｂと当該梯子２を受け止めている各鋼管３ａ〜３ｃとが本発明に係る取付け用具８により互いに結合一体化されている。
【００１４】
以下、取付け用具８の具体構造を説明すると、図２〜図４に示すように、取付け用具８はパイプクランプ９と押え部材１０とから構成されている。パイプクランプ９は従来周知のものであって、ベース部材１１と開閉部材１２、及び当該ベース部材１１と開閉部材１２とを互いに締結する締結ボルト１３から構成されている。
【００１５】
ベース部材１１は、ベース部１１ａの一端から斜め外向きに連設された立上り部１１ｂの先端で開閉部材１２の一端を支軸１４により開閉自在に軸支すると共に、ベース部１１ａの他端に締結ボルト１３の基部を前記支軸１４と平行な支軸１５により揺動自在に軸支するものであって、内側全域に鋼管に対する挟持用縁部１１ｃが形成されている。開閉部材１２は、内側に鋼管に対する挟持用縁部１２ａを備えると共に、斜め外向きに連設された先端二股部１２ｂに締結ボルト１３が嵌合離脱出来るように構成されている。締結ボルト１３は、螺嵌されたナット１３ａの外れ止めにための鍔部１３ｂを遊端に備えたもので、このナット１３ａの内側で締結ボルト１３を開閉部材１２の先端二股部１２ｂに嵌合させ、ナット１３ａをねじ込むことにより、当該ナット１３ａにより先端二股部１２ｂを介して開閉部材１２をベース部材１１の側へ押圧し、ベース部材１１の挟持用縁部１１ｃと開閉部材１２の挟持用縁部１２ａとの間で丸鋼管を挟持固定出来るように構成されたものである。
【００１６】
押え部材１０は、帯状基板部１０ａと、その長さ方向に沿った左右両側辺から外向きに折曲連設された左右両側板部１０ｂ，１０ｃとから成る横断面溝形のものであって、その長さ方向の両端には、内側に湾曲する先端湾曲領域１０ｄ，１０ｅが形成されると共に、当該先端湾曲領域１０ｄ，１０ｅの先端から帯状基板部１０ａのみを延出させた突出片１０ｆ，１０ｇを外側へ、先端湾曲領域１０ｄ，１０ｅ間の帯状基板部１０ａとほぼ平行な向きまで折曲させて成る、先端挟持部１６ａ，１６ｂが設けられている。このように構成された押え部材１０は、その帯状基板部１０ａの長さ方向が、パイプクランプ９のベース部材１１と開閉部材１２との間で挟持される鋼管と平行になる向きで、当該帯状基板部１０ａの長さ方向中央部の内側面がパイプクランプ９におけるベース部材１１のベース部１１ａの外側面に当て付けられた状態で固定されている。
【００１７】
前記押え部材１０とパイプクランプ９のベース部材１１との固定方法は、溶接など如何なる方法でも良いが、図示の実施例では、パイプクランプ９におけるベース部材１１のベース部１１ａと押え部材１０の帯状基板部１０ａとをベース部１１ａ側から貫通するボルト１７とナット１７ａとで締結されているが、両者がボルト１７の周りに相対回転するのを防止するために、ベース部１１ａから外向きに押出し形成した少なくとも１つの突起部１８を帯状基板部１０ａ側に設けた貫通孔１９に嵌合させている。又、押え部材１０の先端湾曲領域１０ｄ，１０ｅの曲げ強度を更に増大させるために、当該先端湾曲領域１０ｄ，１０ｅに位置する帯状基板部１０ａに左右一対の外側に突曲する補強用リブ２０を形成している。そしてパイプクランプ９のベース部材１１に取り付けられた押え部材１０は、その両端の先端湾曲領域１０ｄ，１０ｅがベース部材１１の左右両側に張り出すと共に、図３に示すように、先端挟持部１６ａ，１６ｂ（突出片１０ｆ，１０ｇ）の内側面とパイプクランプ９のベース部材１１における挟持用縁部１１ｃとが側面視においてほぼ点接触するように構成されている。
【００１８】
以上のように構成された取付け用具８の使用方法を、図１に示す鋼管３ａと梯子２の右側の溝形部材６ａとを締結する取付け用具８を例にとって、図５〜図７に基づいて説明すると、梯子２の左右一対の溝形部材６ａ，６ｂは、その凹溝部が互いに対面する向きに配置されているので、鋼管３ａの溝形部材６ａに隣接する位置にパイプクランプ９を、溝形部材６ａのある側に突出する押え部材１０の先端湾曲領域１０ｄが当該溝形部材６ａの内側に入り込むと共に、当該先端湾曲領域１０ｄから突出する先端挟持部１６ａ（突出片１０ｆ）が、溝形部材６ａの両側壁板部６ｃ，６ｄの内、前記鋼管３ａに隣接する側の側壁板部６ｃの内側面とほぼ平行に沿うように取り付ける。
【００１９】
鋼管３ａに対するパイプクランプ９の取付けは、先に説明した通りであるが、上記のようにパイプクランプ９を配置した場合、当該パイプクランプ９の締結ボルト１３が鋼管３ａの上側で且つナット１３ａが梯子２から内側へ離れて位置することになるので、当該ナット１３ａを操作してパイプクランプ９を鋼管３ａに取り付ける操作が容易に行える。勿論、梯子２の溝形部材６ａの内側に押え部材１０の先端湾曲領域１０ｅが入り込む向きでパイプクランプ９を鋼管３ａに取り付けても良い。この場合には、当該パイプクランプ９の締結ボルト１３が鋼管３ａの下側に位置することになる。
【００２０】
上記のようにしてパイプクランプ９を使用して取付け用具８を鋼管３ａに取り付けたとき、梯子２の溝形部材６ａの内側に入り込んでいる取付け用具８の押え部材１０における先端挟持部１６ａ（突出片１０ｆ）が、当該溝形部材６ａの側壁板部６ｃの板厚分だけ弾性変形し、このときの先端挟持部１６ａ（突出片１０ｆ）の弾性反力で前記溝形部材６ａの側壁板部６ｃが鋼管３ａに押し付けられることになり、梯子２の溝形部材６ａがガタツキなく鋼管３ａに固定される。
【００２１】
梯子２の左側の溝形部材６ｂを鋼管３ａに取り付ける作業は、同一の取付け用具８を、右側の溝形部材３ａを鋼管３ａに取り付けるときの向きのままで左側の溝形部材６ｂに隣接する位置に配置して鋼管３ａに取り付ければ良い。このときは、押え部材１０の先端挟持部１６ｂ（突出片１０ｇ）と鋼管３ａとの間で溝形部材６ｂの内側の側壁板部６ｃが挟持されることになる。鋼管３ｂ，３ｃに対する梯子２の左右一対の溝形部材６ａ，６ｂの取付けも、上記と同様に取付け用具８を使用して行うことが出来る。
【００２２】
各鋼管３ａ〜３ｃに取付け用具８により左右一対の溝形部材６ａ，６ｂが取り付けられた梯子８は、押え部材１０の先端挟持部１６ａ，１６ｂ（突出片１０ｆ，１０ｇ）と鋼管３ａ〜３ｃとの間の挟持力がそれほど強くなくとも、この梯子２が鋼管３ａ〜３ｃから離れる方向に回倒することは、押え部１０の曲げ強度の十分な先端湾曲領域１０ｄ，１０ｅによって確実に防止され、梯子２が鋼管３ａ〜３ｃに沿って横方向に移動することは、溝形部材６ａ，６ｂの内側の側壁板部６ｃの内側辺がパイプクランプ９のベース部材１１に当接するか又は、溝形部材６ａ，６ｂの側壁板部６ｃに隣接する内側面がパイプクランプ９の押え部材１０における先端挟持部１６ａ，１６ｂ（突出片１０ｆ，１０ｇ）に当接することによって、確実に阻止される。
【００２３】
尚、上記実施例では、押え部材１０がパイプクランプ９に対して左右両側に対称形に突出する構造としたが、図８に示すように、例えば片側の先端湾曲領域１０ｅ及び先端挟持部１６ｂ（突出片１０ｇ）を無くした構造であっても良い。この場合は、取付け用具８を梯子２の右側の溝形部材６ｂを鋼管３ａ〜３ｃに取り付けるとき、押え部材１０の先端湾曲領域１０ｄを右側の溝形部材６ｂのある側に移動させるように取付け用具８を１８０度回転させて使用することになるので、パイプクランプ９の締結ボルト１３が鋼管３ａ〜３ｃの下側に位置することになる。
【００２４】
又、図９に示すように、図８の実施例に示したように、片側にのみ先端湾曲領域１０ｄ及び先端挟持部１６ａ（突出片１０ｆ）を備えた押え部材１０を、パイプクランプ９のベース部材１１に取り付けるときのボルト１７の位置に配置した支軸（図示のものは鍔付き円筒状軸体の遊端側をカシメたもの）２１の周りに回転自在にパイプクランプ９のベース部材１１に取り付けることが出来る。この場合は、取付け用具８全体を回転させて先端挟持部１６ａ（突出片１０ｆ）の突出向きを変えなくとも、押え部材１０だけを支軸２１の周りに回転させれば良いので、梯子２の左右一対の溝形部材６ａ，６ｂの何れを鋼管３ａ〜３ｃに取り付ける場合でも、パイプクランプ９の締結ボルト１３の位置を鋼管３ａ〜３ｃの上側(又は下側）に統一させることが出来る。勿論、押え部材１０の回転時に先端湾曲領域１０ｄがパイプクランプ９と干渉しないように、支軸２１から先端湾曲領域１０ｄまでの距離を大きくする必要がある。
【産業上の利用可能性】
【００２５】
本発明の仮設梯子の取付け用具は、建設現場などにおいて、仮設足場などの構造体の高所との間で作業者が安全に昇り降り出来るように、特にアルミニウム製の梯子を立て掛ける作業において活用出来る。
【符号の説明】
【００２６】
１    仮設足場などの構造体
２    梯子
３ａ〜３ｃ    鋼管
４    支持用鋼管
５，９    パイプクランプ
６ａ，６ｂ    梯子の溝形部材
７    梯子のステップ部材
８    取付け用具
１０    押え部材
１０ａ    押え部材の帯状基板部
１０ｂ，１０ｃ    押え部材の左右両側板部
１０ｄ，１０ｅ    押え部材の先端湾曲領域
１０ｆ，１０ｇ    押え部材の突出片
１１    パイプクランプのベース部材
１２    パイプクランプの開閉部材
１３    パイプクランプの締結ボルト
１４，１５，２１    支軸
１６ａ，１６ｂ    押え部材の先端挟持部
１７    ボルト
１８    突起部
２０    補強用リブ
【図１】
0005561873.tif 000002
【図２】
0005561873.tif 000003
【図３】
0005561873.tif 000004
【図４】
0005561873.tif 000005
【図５】
0005561873.tif 000006
【図６】
0005561873.tif 000007
【図７】
0005561873.tif 000008
【図８】
0005561873.tif 000009
【図９】
0005561873.tif 000010